(57)【要約】【課題】センター役物等の構造物の周面に沿って流下する遊技媒体や構造物に当たった遊技媒体において、予想外の動きをさせる。【解決手段】センター役物２０の周面２０ａに設けられる案内片２５，２６の間の通路２７の下流側の部分に、ゴム等の弾性を有する部材からなる突出片３０を、その突出部３０ｂがセンター役物２０の周面２０ａから突出するように、且つ前記案内片２５によって遮蔽されるように組み付ける。センター役物２０の上部に形成された振分け部２０ｃにより図中Ａ方向に振り分けられたパチンコ球５０は、上記通路によりセンター役物２０の周面２０ａに沿って流下し、突出部３０ａに当たった後に弾かれる。パチンコ球５０の弾かれる方向は、流下する速度や突出部３０ａと当たる位置等によって異なるため、パチンコ球５０の動きが遊技者の予想しないものとなる。【選択図】        図４
2004313521.tif 000002
【特許請求の範囲】
【請求項１】
遊技盤面上に構造物が設けられた弾球遊技機において、
前記構造物の周面に、この周面に接する遊技媒体を弾くための突出部を設けたことを特徴とする弾球遊技機。
【請求項２】
前記構造物は、遊技状態を遊技者に有利な状態に移行させるか否かの判定を行わせる始動入賞口へ遊技媒体を案内し得るものであることを特徴とする請求項１記載の弾球遊技機。
【請求項３】
前記構造物には、前記突出部を遮蔽するための遮蔽部材が設けられていることを特徴とする請求項２記載の弾球遊技機。
【請求項４】
前記構造物は、遊技媒体を受けるステージと、このステージに遊技媒体を導く誘導通路とを備え、前記突出部は前記誘導通路の導入口よりも上方に設けられることを特徴とする請求項２又は３いずれか記載の弾球遊技機。
【請求項５】
前記突出部は、弾性を有する部材から形成されていることを特徴とする請求項１〜４いずれか記載の弾球遊技機。
【請求項６】
前記突出部は、板状に形成されていることを特徴とする請求項１〜５いずれか記載の弾球遊技機。
【発明の詳細な説明】
【０００１】
【発明の属する技術分野】
本発明は、パチンコ店等の遊技場に設置して使用されるパチンコ機等の遊技機に関するものである。
【０００２】
【従来の技術】
遊技場に設置される遊技機の一つとしてパチンコ機が挙げられる。このパチンコ機にはパチンコ球等の遊技媒体が打ち出される遊技領域が形成された遊技盤が取付け部となる本体枠内に配設され、その遊技盤の前面を窓部を有する開閉自在な前面枠により被覆される構成となっている。遊技盤面には、レールにより規制された遊技領域が形成され、この遊技領域には電動チューリップや入賞チャッカ、アタッカ等の入賞装置や、センター役物等の構造物が設けられた構成となっている。なお、このセンター役物に形成されたステージからパチンコ球が流下すると、その下部に設けられた始動入賞口に入賞し易くなる。
【０００３】
【発明が解決しようとする課題】
このような遊技盤が組み付けられたパチンコ機で遊技を行う場合、大当たりとなるか否かの他に、遊技媒体となるパチンコ球が、遊技盤に打ち付けられた障害釘に当たって予想外の方向に弾けるということも遊技の際の面白みとなる。しかしながら、例えばセンター役物にパチンコ球が当たった場合には、センター役物の周面に沿って流下するか、センター役物に当たった角度に応じて弾けるかのいずれかであるため、流下するパチンコ球の弾け方が容易に予想でき、遊技を行う際の面白みが薄れるという問題がある。
【０００４】
本発明は、センター役物等の構造物の周面に沿って流下する遊技媒体や構造物に当たった遊技媒体において、予想外の動きをさせることができるようにした弾球遊技機を提供することを目的とする。
【０００５】
【課題を解決するための手段】
上記目的を達成するために、本発明の弾球遊技機は、遊技盤面上に構造物が設けられたものであり、前記構造物の周面に、この周面に接する遊技媒体を弾くための突出部を設けたものである。
【０００６】
また、前記構造物は、遊技状態を遊技者に有利な状態に移行させるか否かの判定を行わせる始動入賞口へ遊技媒体を案内し得るものであることが好ましい。なお、上記構造物とは、例えばセンター役物等が挙げられる。
【０００７】
また、前記構造物には、前記突出部を遮蔽するための遮蔽部材が設けられていることが好ましい。また、前記構造物は、遊技媒体を受けるステージと、このステージに遊技媒体を導く誘導通路とを備え、前記突出部は前記誘導通路の導入口よりも上方に設けられることが好ましい。なお、誘導通路とは、例えばワープルート等が挙げられる。
【０００８】
また、前記突出部は、弾性を有する部材から形成されていることが好ましい。また、前記突出部は板状に形成されていることが好ましい。
【０００９】
【発明の実施の形態】
図１に、本発明を用いたパチンコ機の外観を示す。パチンコ機２の本体枠３の前面には前面枠５が開閉自在に設けられている。この前面枠５の中央には開口５ａが形成されており、この開口５ａは前面枠５の裏側に取り付けられるガラス枠６（図２参照）のガラス板７により遮蔽されている。前面枠５の下方には、打球（遊技媒体）供給用の供給皿８及びパチンコ球（遊技媒体）５０の打ち出し強さを調節する操作ハンドル９が設けられている。遊技者が供給皿８にパチンコ球を投入すると、内部に設けられた通路によりパチンコ球５０は発射装置１０へと誘導される。そして、操作ハンドル９を操作すると発射装置１０が作動して遊技盤４上にパチンコ球５０を打ち出す。なお、前面枠５が閉じている場合には、遊技者や遊技場の作業者は、前面枠５の裏側に取り付けられたガラス板７を介して遊技盤４の遊技領域４ａ（図２参照）及び遊技領域４ａ上を流下していくパチンコ球５０を視認することができるようになっている。
【００１０】
図２に示すように、遊技盤４は、本体枠３側にある遊技盤取付け部３ａに取り付けられる。この遊技盤４の前面にはガイドレール１１及びレール飾り１２に囲まれた遊技領域４ａが形成され、始動入賞口１３、通常入賞口１４、アタッカ１５等のパチンコ球を入賞させる入賞部及びアウト口１６が配設されている。また、遊技領域４ａには、図示を省略した釘、風車などが設けられている。これらの構造物は公知であるので説明は省略する。
【００１１】
この遊技領域４ａのほぼ中央には、センター役物（構造物）２０が設けられている。このセンター役物２０には開口２１，２２が形成される。開口２１の後方には、図柄の変動表示及び停止表示を実行可能な図柄表示装置２３、開口２２の後方には、演出用のドラム２４がそれぞれ設けられている。図３に示すように、センター役物２０の周面２０ａ（図４参照）には、流下するパチンコ球５０をその周面２０ａに沿って流下させるための弓形板状の案内片２５，２６が設けられ、これら案内片２５，２６の間の空間が、パチンコ球５０をセンター役物２０の周面２０ａに沿って流下させるための通路２７となる。この通路２７の下流側の部分には、略Ｌ字状の突出片３０（図４参照）が設けられている。この突出片３０は、その突出部３０ａがセンター役物２０の周面２０ａから突出するように、且つ案内片２５によって遊技盤４の前面側から遮蔽されるように設けられている（図４参照）。なお、この突出片３０の突出部３０ａは略直方形状から形成されている。この突出片３０は、センター役物２０の周面２０ａに設けられた挿入穴２０ｂに突出片３０の取付部３０ｂを挿入させることで組み付けられている。
【００１２】
この突出片３０は例えばゴム等の弾性を有する部材から形成され、上述したように、前記案内片２５，２６の間に設けられた通路２７によって、センター役物２０の周面２０ａに沿って流下するパチンコ球５０を弾くために設けられる。なお、突出部３０ｂの形状は、直方体形状に限定するものではなく、例えば、パチンコ球５０が当たる面を球面とするものであってもよい。また、センター役物２０とは別部材の突出片３０をセンター役物２０の周面に組み付けて突出部３０ｂを形成したが、これに限定する必要はなく、突出部をセンター役物２０と一体に形成してもよい。
【００１３】
図４に示すように、センター役物２０の側部のうち、上記通路２７の下流側端部となる部分には、ワープルート（誘導通路）３５への導入口３６が設けられている。このワープルート３５の排出口３７は、センター役物２０の内壁面に設けられており、ワープルート３５を通過するパチンコ球５０は、センター役物２０の内側に形成された２段ステージ４０の第１ステージ４１に排出される。その後、パチンコ球５０は、第１ステージ４１上を移動した後に第２ステージ４２に落下する。そして、第２ステージ４２上を移動した後に２段ステージ４０から落下して、センター役物２０の下方に形成された始動入賞口１３へと入賞するか、アウト口１６へ導かれる。なお、符号４３は落下穴であり、第１ステージ４１から第２ステージ４２へとパチンコ球５０を落下させるためのものである。
【００１４】
次に、本実施形態の作用について説明する。操作ハンドル９を操作すると、発射装置１０が作動して、遊技球となるパチンコ球５０を遊技領域４ａに向けて打ち出す。遊技領域４ａへと打ち出されたパチンコ球５０は、遊技領域４ａに設けられた障害釘（図示せず）に弾かれながら、遊技領域４ａの上方から流下していく。流下するパチンコ球５０がセンター役物２０の側面に当たると、センター役物２０により弾かれた後に、遊技領域４ａ内を流下する。
【００１５】
一方、センター役物２０の上部に形成された振分け部２０ｃにパチンコ球５０が到達すると、パチンコ球５０は図４中Ａ方向又はＢ方向のいずれか一方に振り分けられる。例えばパチンコ球５０が図４中Ａ方向に振り分けられた場合には、案内片２５，２６の間の通路２７によって、センター役物２０の周面２０ａに沿って流下していく（図４中Ｃ方向）。そして、パチンコ球５０が突出部３０ａに到達すると、パチンコ球５０は突出部３０ａにより弾かれて、遊技領域４ａを流下していく。この際、センター役物２０の周面２０ａに沿って流下するパチンコ球５０の速度等により弾かれる方向（図中Ｄ方向又はＥ方向）が変化し、遊技者に対して意外性のある弾かれ方をするという印象を与えるとともに、遊技者に興趣を与えることが可能となる。また、障害釘に弾かれた後に直接突出部３０ａに当たるパチンコ球５０も、突出部３０ａと当たる位置等により意外性のある弾かれ方をするので、遊技者に興趣を与えることが可能となる。なお、この突出部３０ａにより弾かれたパチンコ球５０は、障害釘により弾かれながら、センター役物２０の側面２０ａに設けられたワープルート３５への導入口３６に入るか、各入賞口のいずれかに入賞するか、或いはアウト口１６で回収される。
【００１６】
本実施形態では、センター役物の周面に設けられる突出片を、ゴム等の弾性を有する部材から形成したが、これに限定する必要はなく、ゴム以外の他の樹脂材料から形成してもよい。また、突出片を衝撃吸収性を有する部材から形成してもよい。この場合、センター役物の周面を流下する遊技媒体であるパチンコ球が突出部に当接すると、弾かれずに勢いを失って落下するなど、パチンコ球の挙動に変化を持たせることが可能である。
【００１７】
また、この他に、突出片を板状から形成してもよい。この場合、図５に示すように、例えば矢印形状の係止部６０ａが一端に形成された板状の突出片６０を設け、ガイド溝６４の底面６４ａに設けられた挿入穴６５に、前記係止部６０ａを挿入し、組み付け固定する。ガイド溝６４に沿って流下するパチンコ球６６が突出片６０に当たった場合には、突出片６０が流下するパチンコ球６６の勢いで湾曲し、その反動でパチンコ球６６を弾くことになり、パチンコ球６６の弾かれ方が不規則になる。これにより、センター役物に沿って流下するパチンコ球に変化を与えることができる。また、この突出片６０を板状から形成することで、容易に製造することができる。なお、板状の突出片は、ビス止め固定や、接着剤による固定等適宜の方法を用いてガイド溝の底面に固定させることが可能である。
【００１８】
本実施形態では、センター役物の周面にゴム等の弾性を有する部材からなる突出片を組み付けたが、これに限定する必要はなく、ワープルートの導入口の上部に連なって突出部を形成してもよい。この場合、図６に示すように、センター役物７０に沿って流下するパチンコ球７１は突出部７２により弾かれることでセンター役物７０の周面から離れ、遊技領域を流下していく。なお、この場合、突出部７２に弾かれたパチンコ球７１は、ワープルート７３の導入口７４に入らずに、各入賞口に入賞するか、アウト口まで流下していく。
【００１９】
本実施形態では、弾性を有する部材からなる突出部を、センター役物の周面にから突出するように設けるとともに、この突出部をセンター役物に設けられた案内片により遮蔽したが、これに限定する必要はなく、突出部をそのまま露呈させることも可能である。また、突出部を設ける構造物は、センター役物の他に、遊技領域内に設けられた、例えば演出用の装飾部材等の構造物に設けることも可能である。
【００２０】
【発明の効果】
以上のように、本発明の弾球遊技機によれば、前記構造物の周面に、この周面に接する遊技媒体を弾くための突出部を設けたから、構造物の周面に沿って流下する遊技媒体の弾かれ方に意外性を持たせることができ、障害釘以外でも、遊技球の弾かれ方に面白みを持たせることができる。
【００２１】
また、前記構造物は、遊技状態を遊技者に有利な状態に移行させるか否かの判定を行わせる始動入賞口へ遊技媒体を案内し得るものであるから、流下する遊技媒体の流れを変化させることで、興趣に富んだ弾球遊技機を提供することが可能となる。
【００２２】
また、前記構造物には、前記突出部を遮蔽するための遮蔽部材が設けられているから、遊技を行う遊技者からは突出部を視認することができないので、遊技者に対して意外性のある弾かれ方をアピールすることが可能となる。
【００２３】
また、前記構造物は、遊技媒体を受けるステージと、このステージに遊技媒体を導く誘導通路とを備え、前記突出部は前記誘導通路の導入口よりも上方に設けられるから、センター役物の側面に沿って流下する遊技媒体が弾かれることにより、誘導通路に入ることもあり、遊技者に興趣を与えることが可能となる。
【００２４】
また、前記突出部は、弾性を有する部材から形成したり、板状に形成することで、流下する遊技媒体の勢いや、突出部に対する入射角度によって不規則な弾かれ方をするので、遊技媒体の弾かれ方によって、遊技の面白みの抑制を防止できる。また、突出部を板状に形成することで、突出部を容易に、且つ低コストで製造することが可能となる。
【図面の簡単な説明】
【図１】本発明を実施したパチンコ機の外観を示す斜視図である。
【図２】本体枠と遊技盤ユニットとを分解して示す斜視図である。
【図３】センター役物の一部を示す斜視図である。
【図４】センター役物の一部を示す正面図である。
【図５】突出部を板状の部材から構成した場合のセンター役物の一部を示す正面図である。
【図６】ワープルートの導入口の周縁上部に突出部を設けた場合のセンター役物の一部を示す正面図である。
【符号の説明】
２  パチンコ機
３  本体枠
４  遊技盤
１３  始動入賞口
２０  センター役物（構造物）
２０ａ  周面
２５，２６  案内片
２７  通路
３０  突出片
３０ａ，６０，７２  突出部
３５  ワープルート（誘導通路）
３６  導入口
３７  排出口
４０  ２段ステージ（ステージ）
【図１】
2004313521.tif 000003
【図２】
2004313521.tif 000004
【図３】
2004313521.tif 000005
【図４】
2004313521.tif 000006
【図５】
2004313521.tif 000007
【図６】
2004313521.tif 000008